(57)【要約】【課題】  個人認証に要する時間が短くて済むＩＣカードおよびＩＣカードケースを提供する。【解決手段】   ＩＣカード１側では、光発電装置６により、バイオメトリクスセンサ４、ＩＣ３、および表示部５に電力が供給される。バイオメトリクスセンサ４により、 ＩＣカード１ を持っている利用者の指などから当該利用者 の生体情報が検出され、 ＩＣ３に記録されている真正所有者の生体情報と照合される。照合結果は、 ＩＣカード１の表示部５に表示される。これに対して、利用者がＩＣカード１をリーダ２にかざすと、リーダ２は、アンテナ８、７を介してＩＣカード１に認証開始信号を送信し、ＩＣカード１では、バイオメトリクスセンサ４による照合結果に基づき、ＩＣ３の情報をアンテナ７を介してリーダ２のアンテナ８に送信するか否かを判断する。リーダ２側では、送信情報に基づき、通行許可等の動作が行われる。【選択図】      図１
2006309537.tif 000002
【特許請求の範囲】
【請求項１】
利用者の生体情報を検出するバイオメトリクスセンサと、真正所有者の生体情報を記録し、前記バイオメトリクスセンサにより検出された前記利用者の生体情報を前記真正所有者の生体情報と照合するＩＣと、前記ＩＣによる照合結果を表示する表示部と、光に反応して発電し、前記バイオメトリクスセンサ、前記ＩＣ、および前記表示部に電力を供給する光発電装置と、リーダとの間でデータの送受信を行うアンテナとを備えることを特徴とするＩＣカード。
【請求項２】
前記光発電装置は、特定波長の光に反応して発電することを特徴とする請求項１に記載のＩＣカード。
【請求項３】
真正所有者の生体情報を記録するとともに、後記バイオメトリクスセンサにより検出された利用者の生体情報を前記真正所有者の生体情報と照合するＩＣと、リーダとの間でデータの送受信を行うアンテナと、後記ＩＣカードケースに備えられたケース接続部に接続するためのカード接続部とを有するＩＣカードと、
利用者の生体情報を検出するバイオメトリクスセンサと、前記ＩＣによる照合結果を表示する表示部と、光に反応して発電し、前記バイオメトリクスセンサ、前記表示部、および前記ＩＣに電力を供給する光発電装置と、前記ＩＣカードに備えられたカード接続部に接続するためのケース接続部とを有し、前記ＩＣカードを格納するＩＣカードケースとを備えることを特徴とするＩＣカードシステム。
【請求項４】
前記光発電装置は、特定波長の光に反応して発電することを特徴とする請求項３に記載のＩＣカードシステム。
【発明の詳細な説明】
【技術分野】
【０００１】
本発明は、ＩＣカードおよびＩＣカードシステムに関する。
【背景技術】
【０００２】
従来より、パッシブ型ＲＦＩＤで通信する非接触式のＩＣカードが、交通機関の自動改札機や建物の入退館システムなどにおいて利用されている。しかし、これらのＩＣカードでは個人認証が行われていないため、真正所有者でない人がＩＣカードを利用することが可能であり、セキュリティレベルが低いのが実情である。このため、ＩＣカードに個人を特定する情報（指紋など）を書き込み、リーダ側に個人を特定する情報を読み込む機能を組み込んだシステムが実用化されている（例えば、特許文献１参照）。
【特許文献１】特開２００４−１０２４３１号公報
【発明の開示】
【発明が解決しようとする課題】
【０００３】
しかしながら、交通機関の自動改札などにおいて、利用者がリーダ（自動改札機）に個人を特定する情報をインプットして通行許可を求めるとなると、一人当たりの認証に必要な時間が増加するため、滞留状態となり実用的ではない。
【０００４】
本発明は、上述する問題点に鑑みてなされたもので、個人認証に要する時間が短くて済むＩＣカードおよびＩＣカードケースを提供することを目的とする。
【課題を解決するための手段】
【０００５】
上記目的を達成するため、本発明に係るＩＣカードは、利用者の生体情報を検出するバイオメトリクスセンサと、真正所有者の生体情報を記録し、前記バイオメトリクスセンサにより検出された前記利用者の生体情報を前記真正所有者の生体情報と照合するＩＣと、前記ＩＣによる照合結果を表示する表示部と、光に反応して発電し、前記バイオメトリクスセンサ、前記ＩＣ、および前記表示部に電力を供給する光発電装置と、リーダとの間でデータの送受信を行うアンテナとを備えることを特徴とする。
【０００６】
ＩＣカード側では、光発電装置により、バイオメトリクスセンサ、ＩＣ、および表示部に電力が供給される。バイオメトリクスセンサにより、ＩＣカードを持っている利用者の指などから当該利用者の生体情報を検出し、ＩＣにおいて、検出された利用者の生体情報が、当該ＩＣに記録されている真正所有者の生体情報と照合される。照合結果は、ＩＣカードに備えられた表示部に表示される。これに対して、利用者がＩＣカードをリーダにかざすと、リーダは、アンテナを介してＩＣカードに認証開始信号を送信する。ＩＣカード側では、バイオメトリクスセンサによる照合結果に基づき、ＩＣの情報をアンテナを介してリーダに送信するか否かを判断する。そして、リーダ側では、送信情報に基づき通行許可等の動作が行われる。
【０００７】
本発明では、ＩＣカードに記録されている真正所有者の生体情報に基づいてＩＣカード側で個人認証を行うため、大量の個人データが登録されているサーバーとの間でデータのやりとりを行う必要がなく、セキュリティレベルが高く、認証に要する時間も大幅に短縮される。一方、利用者も、ＩＣカードに備えられている表示機能により照合結果を確認することができる。
【０００８】
また、本発明に係るＩＣカードでは、前記光発電装置は、特定波長の光に反応して発電してもよい。
本発明では、特定波長の光に反応して発電する光発電装置とすることで、特定波長の照明光に反応しないＩＣカードを偽造ＩＣカードとして見分けることが可能となる。これにより、セキュリティチェックを二重にして、より安全なシステムとすることができる。
【０００９】
また、本発明に係るＩＣカードシステムは、真正所有者の生体情報を記録するとともに、後記バイオメトリクスセンサにより検出された利用者の生体情報を前記真正所有者の生体情報と照合するＩＣと、リーダとの間でデータの送受信を行うアンテナと、後記ＩＣカードケースに備えられたケース接続部に接続するためのカード接続部とを有するＩＣカードと、利用者の生体情報を検出するバイオメトリクスセンサと、前記ＩＣによる照合結果を表示する表示部と、光に反応して発電し、前記バイオメトリクスセンサ、前記表示部、および前記ＩＣに電力を供給する光発電装置と、前記ＩＣカードに備えられたカード接続部に接続するためのケース接続部とを有し、前記ＩＣカードを格納するＩＣカードケースとを備えることを特徴とする。
本発明では、バイオメトリクスセンサ機能と表示機能と光発電機能をＩＣカードケースにもたせることにより、ＩＣカードを薄くしてコンパクトなものとすることができる。
【００１０】
また、本発明に係るＩＣカードシステムでは、前記光発電装置は、特定波長の光に反応して発電してもよい。
【発明の効果】
【００１１】
本発明に係るＩＣカードでは、 ＩＣカードに記録されている真正所有者の生体情報に基づいて ＩＣカード側で個人認証を行うため、大量の個人データが登録されているサーバーとの間でデータのやりとりを行う必要がなく、セキュリティレベルが高く、認証に要する時間も大幅に短縮することが可能となる。また、利用者も、 ＩＣカードに備えられている表示機能により照合結果を確認することができる。
また、本発明に係るＩＣカードシステムでは、バイオメトリクスセンサ機能と表示機能と光発電機能をＩＣカードケースにもたせることにより、ＩＣカードを薄くしてコンパクトなものとすることができる。
【発明を実施するための最良の形態】
【００１２】
以下、本発明に係るＩＣカードおよびＩＣカードシステムについて図面に基づいて説明する。
図１は、本発明に係るＩＣカードの構成図である。
本発明に係るＩＣカード１は、利用者 の生体情報を検出するバイオメトリクスセンサ４と、真正所有者の生体情報を記録し、バイオメトリクスセンサ４により検出された利用者の生体情報を真正所有者の生体情報と照合するＩＣ３と、ＩＣ３による照合結果を表示する表示部５と、光に反応して発電し、バイオメトリクスセンサ４、ＩＣ３、および表示部５に電力を供給する光発電装置６と、リーダ２との間でデータの送受信を行うアンテナ７とを備えている。
【００１３】
バイオメトリクスセンサ４は、利用者一人一人に固有な生体情報（バイオメトリクス）を画像データとして検出するセンサである。生体情報としては、指紋あるいは手のひらや指の静脈パターンなどを用いることができる。
【００１４】
ＩＣ３は、真正所有者の生体情報を記録・保存しておくメモリー機能と、バイオメトリクスセンサ４により検出された生体情報を真正所有者の生体情報と照合する演算処理機能とを備えている。生体情報の照合は、バイオメトリクスセンサ４により検出された生体情報から特徴データを抽出し、幾何学的特徴マッチング方式やパターン・マッチング方式などの照合アルゴリズムを用いて、記録・保存された登録データとの一致度を調べ、真正所有者かどうか判定するプロセスからなる。
【００１５】
表示部５は、ＩＣ３による照合結果を表示したり、リーダ２との通信ができなかった場合のエラー内容の確認など、利用者が状況を把握するためのものであり、ＬＥＤ、液晶、電子ペーパーなどからなる薄型の表示装置が利用される。
【００１６】
光発電装置６は、太陽光や照明光などの光に反応して発電する装置であり、バイオメトリクスセンサ４、ＩＣ３、および表示部５に電力を供給する。そのため、地下の施設や夜間など光環境が不充分な場合を考慮し、リーダ２側に光発電に必要な照明器具を設置しておく場合もある。
また、光発電装置６は、特定波長の光のみに反応して発電するようにしてもよい。これにより、特定波長の照明光に反応しないＩＣカード１を偽造ＩＣカードとして見分けることができるので、セキュリティチェックが二重となり、より安全なシステムとなる。
【００１７】
次に、上記構成からなるＩＣカード１の動作について説明する。
ＩＣカード１側では、光発電装置６により、バイオメトリクスセンサ４、ＩＣ３、および表示部５に電力が供給される。バイオメトリクスセンサ４により、 ＩＣカード１ を持っている利用者の指などから当該利用者 の生体情報を検出する。
次いで、 ＩＣ３において、バイオメトリクスセンサ４により検出された利用者の生体情報が、当該 ＩＣ３に記録されている真正所有者の生体情報と照合される。照合結果は、 ＩＣカード１の表示部５に表示される。
これに対して、利用者がＩＣカード１をリーダ２にかざすと、リーダ２は、アンテナ８、７を介してＩＣカード１に認証開始信号を送信する。ＩＣカード１では、バイオメトリクスセンサ４による照合結果に基づき、ＩＣ３の情報をアンテナ７を介してリーダ２のアンテナ８に送信するか否かを判断する。なお、照合不能や通信不能など何らかのエラーが発生した場合には、 ＩＣカード１の表示部５に表示される。
リーダ２側では、送信情報に基づき、通行許可等の動作が行われる。
【００１８】
本実施形態によるＩＣカード１では、 ＩＣカード１に記録されている真正所有者の生体情報に基づいて ＩＣカード１側で個人認証を行うため、大量の個人データが登録されているサーバーとの間でデータのやりとりを行う必要がなく、セキュリティレベルが高く、認証に要する時間も大幅に短縮することが可能となる。また、利用者も、 ＩＣカード１に備えられている表示機能により照合結果を確認することができる。そのため、交通機関の自動改札や建物の入退館など、大人数が集中する施設に特に有効である。
また、本実施形態によるＩＣカード１では、電力源として光発電装置６を用いているため、ＩＣカードの利便性が向上するとともに、電力コストを削減することができる。
【００１９】
次に、ＩＣカードとＩＣカードケースから構成されるＩＣカードシステムについて説明する。
図２は、本発明に係るＩＣカードシステムの一例を示す図である。また、図３は、当該ＩＣカードシステムの構成図である。
本発明に係るＩＣカードシステム３０では、ＩＣカード１０をＩＣカードケース２０に格納した状態で使用する。
【００２０】
ＩＣカード１０は、真正所有者の生体情報を記録するとともに、ＩＣカードケース２０に備えられたバイオメトリクスセンサ２４により検出された利用者の生体情報を真正所有者の生体情報と照合するＩＣ１３と、リーダ２との間でデータの送受信を行うアンテナ１７と、ＩＣカードケース２０に備えられたケース接続部２１に接続するためのカード接続部１１とを備えている。
【００２１】
一方、ＩＣカードケース２０は、利用者 の生体情報を検出するバイオメトリクスセンサ２４と、ＩＣカード１０に備えられたＩＣ１３による照合結果を表示する表示部２５と、光に反応して発電し、バイオメトリクスセンサ２４、表示部２５、およびＩＣ１３に電力を供給する光発電装置２６と、ＩＣカード１０に備えられたカード接続部１１に接続するためのケース接続部２１とを備えている。
【００２２】
次に、上記構成からなるＩＣカードシステム３０の動作について説明する。
ＩＣカードシステム３０側では、光発電装置２６により、バイオメトリクスセンサ２４、ＩＣ１３、および表示部２５に電力が供給される。この際、ＩＣ１３には、ケース接続部２１およびカード接続部１１を介して電力が供給される。
バイオメトリクスセンサ２４により、 ＩＣカードシステム３０ を持っている利用者の指などから利用者 の生体情報を検出し、当該利用者 の生体情報はケース接続部２１およびカード接続部１１を介して ＩＣ１３に伝送される。
次いで、 ＩＣ１３において、バイオメトリクスセンサ２４により検出された利用者の生体情報が、当該 ＩＣ１３に記録されている真正所有者の生体情報と照合される。照合結果は、カード接続部１１およびケース接続部２１を介して ＩＣカードケース２０の表示部２５に表示される。
これに対して、利用者がＩＣカードケース２０に格納されたＩＣカード１０をリーダ２にかざすと、リーダ２は、アンテナ８、１７を介してＩＣカード１０に認証開始信号を送信する。ＩＣカード１０では、バイオメトリクスセンサ２４による照合結果に基づき、ＩＣ１３の情報をアンテナ１７を介してリーダ２のアンテナ８に送信するか否かを判断する。なお、照合不能や通信不能など何らかのエラーが発生した場合には、 ＩＣカードケース２０の表示部２５に表示される。
リーダ２側では、照合結果に基づき、通行許可等の動作が行われる。
【００２３】
本実施形態によるＩＣカードシステム３０では、バイオメトリクスセンサ機能と表示機能と光発電機能をＩＣカードケース２０にもたせることにより、ＩＣカード１０を薄くしてコンパクトなものとすることができる。
【００２４】
以上、本発明に係るＩＣカードおよびＩＣカードケースについて説明したが、本発明は上記の実施形態に限定されるものではなく、その趣旨を逸脱しない範囲で適宜変更可能である。例えば、上記の実施形態では、ＩＣカードは非接触式としているが、接触式でもよく、この場合はアンテナに代えて端子を設ければよい。要は、本発明において所期の機能が得られればよいのである。
【図面の簡単な説明】
【００２５】
【図１】本発明に係るＩＣカードの構成図である。
【図２】本発明に係るＩＣカードシステムの一例を示し、（ａ）は側断面、（ｂ）は表面、（ｃ）は裏面である。
【図３】本発明に係るＩＣカードシステムの構成図である。
【符号の説明】
【００２６】
１、１０  ＩＣカード
２  リーダ
３、１３  ＩＣ
４、２４  バイオメトリクスセンサ
５、２５  表示部
６、２６  光発電装置
７、８、１７  アンテナ
１１  カード接続部
２１  ケース接続部
２０  ＩＣカードケース
３０  ＩＣカードシステム
【図１】
2006309537.tif 000003
【図２】
2006309537.tif 000004
【図３】
2006309537.tif 000005